(57)【要約】【課題】無菌液化ガスの製造・供給において、無菌状態での製造と、液化ガスにおける無菌状態の保証を可能とする。【解決手段】液化ガス貯留タンクと、前記液化ガス貯留タンクに原料ガスを供給する原料ガス供給装置と、前記液化ガス貯留タンク内を冷却して前記原料ガスを液化する冷却装置と、前記原料ガス供給装置と前記液化ガス貯留タンクとを接続する供給配管と、前記供給配管に設けられる滅菌フィルタと、前記滅菌フィルタよりも下流部分に位置する滅菌領域を高温飽和水蒸気により加熱滅菌する滅菌装置と、前記加熱滅菌により生じた水分を除去して前記滅菌領域を乾燥させる乾燥装置とを有する無菌液化ガス製造装置。【選択図】図１
2020099811.tif 000002
【特許請求の範囲】
【請求項１】
液化ガス貯留タンクと、
前記液化ガス貯留タンクに原料ガスを供給する原料ガス供給装置と、
前記液化ガス貯留タンク内を冷却して前記原料ガスを液化する冷却装置と、
前記原料ガス供給装置と前記液化ガス貯留タンクとを接続する供給配管と、
前記供給配管に設けられる滅菌フィルタと、
前記滅菌フィルタよりも下流部分に位置する滅菌領域を１２１℃以上に設定される高温飽和水蒸気により加熱滅菌する滅菌装置と、
前記加熱滅菌により生じた水分を除去して前記滅菌領域を乾燥させる乾燥装置と、
前記液化ガス貯留タンク内を加圧して前記液化ガス貯留タンク内から前記加熱滅菌により生じた水分を排出するとともに前記液化ガスを外部に供給する排出配管と、
を有し、
前記供給配管と前記排出配管と前記冷却装置とが、前記液化ガス貯留タンクの上部を貫通し、
前記液化ガス貯留タンクの底部には、前記加熱滅菌により生じた水分が貯溜可能な貯溜凹部が設けられ、
前記排出配管の先端が前記貯溜凹部の付近に位置しており、
前記滅菌装置と前記乾燥装置とが、前記滅菌フィルタよりも上流側に位置する前記供給配管に接続される
無菌液化ガス製造装置。
【請求項２】
前記乾燥装置が、前記滅菌領域に１００℃以上の高温不活性ガスを供給して前記滅菌領域の乾燥を行う請求項１に記載の無菌液化ガス製造装置。
【請求項３】
前記冷却装置は、冷凍機を含む請求項１又は請求項２に記載の無菌液化ガス製造装置。
【請求項４】
前記排出配管の下流側で前記液化ガス貯留タンクの外部位置に設けた弁と、前記液化ガス貯留タンクの内圧を測定する圧力検出装置と、を備える請求項１から請求項３いずれか一項に記載の無菌液化ガス製造装置。
【請求項５】
原料ガスから減菌された無菌液化ガスを製造する方法であって、
請求項１から３のいずれか一項に記載の無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備えた、
無菌液化ガスの製造方法。
【請求項６】
原料ガスから減菌された無菌液化ガスを製造する方法であって、
請求項４に記載の無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記弁と前記圧力検出装置とを連動させて、前記液化ガス貯留タンクの内圧調整を行う
無菌液化ガスの製造方法。
【発明の詳細な説明】
【技術分野】
【０００１】
本発明は無菌液化ガス製造装置、無菌液化ガスの製造方法に関し、特に無菌状態で液体窒素などの液化ガスを製造・供給する際に用いて好適な技術に関する。
本願は、２０１６年６月２４日に日本に出願された特願２０１６−１２５９９７号に基づき優先権を主張し、その内容をここに援用する。
【背景技術】
【０００２】
医療、製薬、食品、研究の分野で、無菌状態の液体窒素等の液化ガスが使用されることが増えている。これにともない、滅菌した液化ガス製造装置が求められている。
【０００３】
特許文献１〜３には、製造した液体窒素を無菌化するフィルタを備え、液体窒素を供給する配管等を滅菌する装置が記載されている。
特許文献１は、液体窒素充填装置内を高温ガスで加熱殺菌し装置の無菌性を維持する方法を提案している。
特許文献２には、極低温耐性を有する材質のフィルタを用いて液体窒素を無菌化することが記載されている。
特許文献３には、無菌化したガスを冷却して液化することおよび、配管等を蒸気によって滅菌することが記載されている。
【先行技術文献】
【特許文献】
【０００４】
【特許文献１】特開２０００−１８５７１０号公報
【特許文献２】特許第４７６６２２６号公報
【特許文献３】特表２０１３−５３１２１２号公報
【発明の概要】
【発明が解決しようとする課題】
【０００５】
しかし、特許文献１の技術では、装置を加熱することは多大なエネルギーと時間が必要な上、装置は液体窒素の超低温と高温ガスによる高温の双方に耐えなければならない。このため、装置の部品に要求される熱特性として−２００℃から＋２００℃程度という広い温度範囲が要求され、部品の材質選択範囲が狭まったり、装置全体の構造が複雑化したりといった問題が生じる。
【０００６】
また、特許文献２には、液体窒素を無菌化するような機能を長期にわたって維持できるフィルタは存在しておらず、実際には持続して無菌の液体窒素を製造することは容易ではない。
【０００７】
また、特許文献３には、無菌化したガスを冷却して液化することおよび、この配管等を蒸気によって滅菌することが記載されている。しかしながら、液化ガスを貯留するタンクがないため液化ガスの供給量を変更できない上、装置内に滅菌用の蒸気が残留する可能性があり、残留した水分によって菌が繁殖する可能性がなくならない。このため、液化ガスにおいて無菌状態を保証できないという問題があった。
【０００８】
本発明は、上記の事情に鑑みてなされたもので、無菌液化ガスの製造・供給において、無菌液化ガスの持続的製造を可能とするとともに、無菌状態の保証を可能とする無菌液化ガス製造装置、無菌液化ガスの製造方法を提供するという目的を達成しようとするものである。
【課題を解決するための手段】
【０００９】
上記課題を解決するため、本発明の一態様に係る無菌液化ガス製造装置は、液化ガス貯留タンクと、前記液化ガス貯留タンクに原料ガスを供給する原料ガス供給装置と、前記液化ガス貯留タンク内を冷却して前記原料ガスを液化する冷却装置と、前記原料ガス供給装置と前記液化ガス貯留タンクとを接続する供給配管と、前記供給配管に設けられる滅菌フィルタと、前記滅菌フィルタよりも下流部分に位置する滅菌領域を１２１℃以上に設定される高温飽和水蒸気により加熱滅菌する滅菌装置と、前記加熱滅菌により生じた水分を除去して前記滅菌領域を乾燥させる乾燥装置と、
前記液化ガス貯留タンク内を加圧して前記液化ガス貯留タンク内から前記加熱滅菌により生じた水分を排出するとともに前記液化ガスを外部に供給する排出配管と、
を有し、
前記供給配管と前記排出配管と前記冷却装置とが、前記液化ガス貯留タンクの上部を貫通し、
前記液化ガス貯留タンクの底部には、前記加熱滅菌により生じた水分が貯溜可能な貯溜凹部が設けられ、
前記排出配管の先端が前記貯溜凹部の付近に位置しており、
前記滅菌装置と前記乾燥装置とが、前記滅菌フィルタよりも上流側に位置する前記供給配管に接続される。
本発明の一態様に係る無菌液化ガス製造装置においては、前記乾燥装置が、前記滅菌領域に１００℃以上の高温不活性ガスを供給して前記滅菌領域の乾燥を行ってもよい。
本発明の一態様に係る無菌液化ガス製造装置においては、前記滅菌装置と前記乾燥装置とが、前記滅菌フィルタよりも上流側に位置する前記供給配管に接続されてもよい。
本発明の一態様に係る無菌液化ガス製造装置においては、前記冷却装置は、冷凍機を含んでもよい。
本発明の一態様に係る無菌液化ガス製造装置においては、前記排出配管の下流側で前記液化ガス貯留タンクの外部位置に設けた弁と、前記液化ガス貯留タンクの内圧を測定する圧力検出装置と、を備えてもよい。
本発明の一態様に係る無菌液化ガスの製造方法においては、原料ガスから減菌された無菌液化ガスを製造する方法であって、
上記のいずれか一項に記載の無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備えている。
本発明の一態様に係る無菌液化ガスの製造方法においては、原料ガスから減菌された無菌液化ガスを製造する方法であって、
上記の無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記弁と前記圧力検出装置とを連動させて、前記液化ガス貯留タンクの内圧調整を行ってもよい。
【００１０】
本発明の一態様に係る無菌液化ガス製造装置によれば、上記構成を備えることにより、滅菌フィルタよりも下流部分に位置する滅菌領域である少なくとも滅菌フィルタと供給配管と液化ガス貯留タンク内とに滅菌装置から高温飽和水蒸気を供給する。これにより、この滅菌領域を加熱滅菌し、乾燥装置によって加熱滅菌により生じた水分を除去し、この滅菌領域を乾燥させることで滅菌領域の滅菌処理を完了する。この無菌状態となった液化ガス貯留タンクに原料ガス供給装置から滅菌フィルタを介して無菌状態の原料ガスを供給するとともに、冷却装置により液化ガス貯留タンク内を冷却して原料ガスを液化するとともに無菌液化ガスを液化ガス貯留タンクに貯留する。これにより、必要に応じて製造された無菌液化ガスを外部に供給することが可能となる。
【００１１】
ここで、無菌とは、滅菌された状態を意味し、滅菌とは、有害・無害を問わず、対象物に存在しているすべての微生物およびウイルスを死滅させるか除去することを意味する。
具体的には、無菌性保証レベル（ｓｔｅｒｉｌｉｔｙ  ａｓｓｕｒａｎｃｅ  ｌｅｖｅｌ：ＳＡＬ）を満たすことを意味し、ＳＡＬ≦１０−６（滅菌操作後、被滅菌物に微生物の生存する確率が１００万分の１以下であること）を意味する。
また、液化ガスとは、−５０℃未満の標準沸点を有するガスであり、例えば、窒素、酸素、液体空気およびアルゴンを挙げることができる。
【００１２】
本発明の一態様において、前記乾燥装置は、前記滅菌領域に高温不活性ガスを供給して前記滅菌領域の乾燥を行う。これにより、滅菌装置によって高温飽和水蒸気を滅菌領域に供給して滅菌処理を行った後に、この乾燥装置によって、高温不活性ガスを滅菌領域に供給することにより、滅菌領域である少なくとも滅菌フィルタと供給配管と液化ガス貯留タンク内とに付着、あるいは、液化ガス貯留タンク内に貯留した水分を外部に除去する。この結果、残留水分に起因した菌の再発生を防止して、滅菌処理後の滅菌領域における無菌化を図り、無菌液化ガスを製造することが可能になるとともに、製造された液化ガスにおける無菌状態を保証することが可能となる。
ここで、乾燥装置が滅菌領域に供給する高温不活性ガスとしては、窒素ガスを採用することができる。なお、液化ガス製造時の原料ガス供給装置からの供給流量に比べて、乾燥処理におけるガス供給流量は大きく設定されることが乾燥処理の短時間化のために好ましい。
【００１３】
本発明の一態様において、前記滅菌装置と前記乾燥装置とが、前記滅菌フィルタよりも上流側の前記供給配管に接続されることにより、前記滅菌装置と前記乾燥装置とが滅菌領域よりも上流側に接続された状態となる。これにより、滅菌領域全体に対して滅菌処理および乾燥処理を行うことができるため、滅菌領域全体を無菌状態として、無菌液化ガスの製造を行うことが可能となるとともに、製造された液化ガスにおける無菌状態を保証することが可能となる。
【００１４】
また、本発明の一態様において、前記供給配管が、前記液化ガス貯留タンクの上部に接続されることにより、液化ガス貯留タンクの側面および底面に供給配管を貫通させる必要がなくなる。このため、液化ガス貯留タンクの内面における表面処理を所定の状態にすることが容易にできる。
なお、本発明の一態様の無菌液化ガス製造装置において、液化ガスが接触する表面、あるいは、滅菌領域の内表面は、サニタリ規格を満たした状態とされている。これにより、製造された液化ガスにおける無菌状態を保証することが可能となる。
ここで、サニタリ規格とは、食品、酪農、醸造、飲料、製菓、水産、医薬、化粧品、化学工業品、清涼飲料、ビール、酒、食肉加工、化学薬品液、半導体等の製造に用いられる規格を意味する。
【００１５】
また、前記冷却装置が、冷凍機を含むことにより、液化ガス貯留タンクの内部を原料ガスの液化温度かそれ以下の温度まで冷却することが容易となり、液化ガス貯留タンク内に貯留する液化ガスを大量に製造することができる。
【００１６】
また、前記液化ガス貯留タンクの底部には、前記加熱滅菌により生じた水分が貯溜可能な貯溜凹部が設けられている。これにより、滅菌装置による加熱滅菌で生じた水分を液化ガス貯留タンク内でこの貯溜凹部に貯溜して、効率的に外部に排出し，無菌状態を容易に維持することが可能となる。
【００１７】
本発明の一態様においては、前記液化ガス貯留タンクには、前記液化ガス貯留タンク内を加圧して前記加熱滅菌後の水分を排出する排出配管が設けられる。これにより、液化ガス貯留タンクを加圧するだけで、滅菌装置による加熱滅菌で生じた水分を液化ガス貯留タンク内から排出配管を介して効率的に外部に排出して、滅菌領域における水分をなくして菌の再発生を防止し、無菌状態を容易に維持することが可能となる。
【００１８】
本発明の一態様の無菌液化ガス製造装置においては、前記液化ガス貯留タンクには、前記液化ガス貯留タンク内を加圧して前記加熱滅菌後の水分を排出する排出配管が設けられ、前記液化ガス貯留タンクの底部には、前記加熱滅菌により生じた水分が貯溜可能な貯溜凹部が設けられ、前記排出配管が前記液化ガス貯留タンクの上部を貫通するとともに、前記排出配管の先端が前記貯溜凹部の付近に位置している。このような構成を採用することにより、滅菌装置による加熱滅菌で生じた水分を液化ガス貯留タンク内でこの貯溜凹部に貯溜して、液化ガス貯留タンクを加圧するだけで、貯溜凹部に貯溜された水分を液化ガス貯留タンク内から排出配管を介して効率的に外部に排出して、滅菌領域における水分をなくして菌の再発生を防止し、無菌状態を容易に維持することが可能となる。
【発明の効果】
【００１９】
本発明の一態様によれば、液化ガスの製造・貯溜される滅菌領域において、高温飽和水蒸気によって滅菌し、乾燥装置によって水分を除去する。これにより、この滅菌領域における菌の再発生を防止し、無菌状態を容易に維持して、無菌液化ガスの製造を行うことが可能となるとともに、製造された液化ガスにおける無菌状態を保証することが可能となる無菌液化ガス製造装置、無菌液化ガスの製造方法を提供することができるという効果を奏することが可能となる。
【図面の簡単な説明】
【００２０】
【図１】本発明の第１実施形態に係る無菌液化ガス製造装置を示す模式図である。
【図２】本発明の第１実施形態に係る無菌液化ガス製造装置における液化ガス製造工程を示すフローチャートである。
【発明を実施するための形態】
【００２１】
以下、本発明の第１実施形態に係る無菌液化ガス製造装置を、図面に基づいて説明する。
図１は、本実施形態における無菌液化ガス製造装置を示す模式断面図であり、図において、符号１０は、無菌液化ガス製造装置である。
【００２２】
本実施形態に係る無菌液化ガス製造装置１０は、図１に示すように、液化ガス貯留タンク１１と、原料ガス供給装置１２と、冷却装置１３と、供給配管１４と、滅菌フィルタ１５と、滅菌装置１６と、乾燥装置１７と、排出配管１８と、を有する。
【００２３】
本実施形態に係る液化ガス貯留タンク１１は、図１に示すように、有底略円筒状の密閉容器とされ、後述するように、サニタリ仕様とされている。
液化ガス貯留タンク１１には、図１に示すように、上端となる蓋部１１ａを貫通して供給配管１４と排出配管１８と冷却装置１３とが設けられている。液化ガス貯留タンク１１の底部１１ｂは、底部１１ｂと側壁１１ｃとの間の接続位置から底部１１ｂの中心に向かってなだらかに下降する傾斜が形成されている。底部１１ｂの中央には凹みが形成されており、凹みが貯溜凹部１９を形成している。なお、底部１１ｂは、例えば、球面を切り取った曲面状に形成されており、液化ガス貯留タンク１１と外部との間に圧力差が生じた場合に、液化ガス貯留タンク１１の強度が維持可能とされている。
【００２４】
原料ガス供給装置１２は、液化ガスの原料となる原料ガスを液化ガス貯留タンク１１に供給するように構成されており、弁１４ａを介して供給配管１４に接続されている。本実施形態では、原料ガス供給装置１２は、原料ガスとして窒素ガスを液化ガス貯留タンク１１に供給する。原料ガス供給装置１２は、例えば、室温程度の原料ガスを液化ガス貯留タンク１１に供給する。
本実施形態の原料ガス供給装置１２としては、吸着剤を利用した窒素発生装置（ＰＳＡ）を有しており、空気から効率よく酸素と窒素を分離し、９９．９９％までの窒素ガスを液化ガス貯留タンク１１に供給可能である。なお、原料ガスを液化ガス貯留タンク１１に供給可能であれば、原料ガス供給装置１２の構成は、上記構成に限定されない。
【００２５】
冷却装置１３は、冷凍機システムで、図１に示すように、液化ガス貯留タンク１１の上端となる蓋部１１ａを貫通する機械式冷凍機の冷却部１３ａと、この冷却部１３ａに接続されて冷媒ガスを供給そして回収するためのコンプレッサ１３ｂと、コンプレッサ１３ｂに接続された水冷部１３ｃとを有する構成とされている。冷却部１３ａは、蓋部１１ａを貫通して液化ガス貯留タンク１１の内部に突出し、原料ガスが機械式冷凍機の冷却部１３ａと熱交換して液化するよう構成されている。冷却部１３ａは、コンプレッサ１３ｂから供給される冷媒（例えば、ヘリウムガス）をサイモン膨張させることにより、例えば、８０Ｋの超低温にまで冷却することができる。
【００２６】
ンプレッサ１３ｂは、例えば、ヘリウムガスを冷却部１３ａとコンプレッサ１３ｂとの間で環流させ、冷却部１３ａから熱を奪う構成を有する。この熱は、水冷部１３ｃによって、外部に廃熱される。
なお、水冷部１３ｃを設けないでコンプレッサ１３ｂにより直接外部に廃熱する構成（空冷）を採用することもできる。液化ガス貯留タンク１１の内部に突出した冷却部１３ａは、その表面がサニタリ仕様を満たすように構成されている。
【００２７】
供給配管１４の下流側は、液化ガス貯留タンク１１の上端となる蓋部１１ａを貫通して液化ガス貯留タンク１１の中央の軸方向に位置しており、供給配管１４は、液化ガス貯留タンク１１の内部を縦に延在するように設けられている。液化ガス貯留タンク１１の内部に延在する供給配管１４の管側面には、全長にわたって多数の貫通孔が設けられており、液化ガス貯留タンク１１の内部に延在する供給配管１４の内部と液化ガス貯留タンク１１の内部とが連通している。
【００２８】
供給配管１４の上流側には、滅菌フィルタ１５が設けられている。さらに、滅菌フィルタ１５の上流側に位置する配管は、三つ叉に分岐するように形成されている。分岐された配管には、弁１４ａ，１４ｂ，１４ｃを介して、原料ガス供給装置１２と、滅菌装置１６と、乾燥装置１７と、がそれぞれ接続されている。なお、弁１４ａ，弁１４ｂ，弁１４ｃは、３つの独立した弁で構成することもできるが、３方向の分岐を互いに切り替え可能な構成であれば、他の構成が採用されてもよい。
【００２９】
滅菌フィルタ１５は、供給配管１４に設けられ、原料ガス供給装置１２から供給された原料ガスを滅菌可能なフィルタである。滅菌フィルタ１５のろ過性能は、室温付近において呈することができる。また、後述するように、滅菌フィルタ１５は、滅菌装置１６から供給される高温飽和水蒸気によってろ過性能が低下しない材質・形状で形成されている。
滅菌フィルタ１５、この滅菌フィルタ１５よりも下流側に位置する供給配管１４、液化ガス貯留タンク１１の内部、排出配管１８は、製造される液化ガスを無菌状態とするために、液化ガス製造時には滅菌された状態を維持する滅菌領域Ｓとされている。
滅菌フィルタ１５としては、例えば、ＰＡＬＬ社製の気体滅菌用疎水性ＰＴＦＥメンブレンフィルターを採用することができる。
【００３０】
滅菌フィルタ１５は、滅菌フィルタ１５の内部に複数の流路が切り替え可能に設けられた構成を有しており、例えば、２本、あるいは、３本のフィルタを並列に切り替え可能な構成とされている。
【００３１】
滅菌装置１６は、例えば、１２１℃以上に設定される高温飽和水蒸気を供給可能な飽和蒸気発生器を有しており、弁１４ｂを介して分岐した供給配管１４に接続される。
弁１４ｂを開とし、弁１４ａ，弁１４ｃを閉とし、滅菌装置１６により高温飽和水蒸気を供給することで、滅菌フィルタ１５よりも下流部分となる滅菌領域Ｓを加熱滅菌することが可能となる。
【００３２】
乾燥装置１７は、１００℃以上の高温不活性ガスを滅菌領域Ｓに供給することで、加熱滅菌により生じた水分を除去して滅菌領域Ｓ内を乾燥させるよう構成されている。滅菌領域Ｓに供給する不活性ガスとしては、例えば、窒素ガスを採用することができる。なお、乾燥を行う際には、液化ガスの原料ガス供給量に対して、大きな流量で窒素ガスを供給可能とすることが好ましい。
【００３３】
排出配管１８の上流側は、液化ガス貯留タンク１１の上端となる蓋部１１ａを貫通して液化ガス貯留タンク１１の中央の軸方向に位置しており、排出配管１８は、液化ガス貯留タンク１１の内部を縦に延在するように設けられている。
排出配管１８の上流側端部は、貯溜凹部１９の最低位置となる中央部分に対してほぼ接触するように配置されている。排出配管１８は、この貯溜凹部１９に溜まった加熱滅菌により生じた水分（熱水）を外部に排出可能なドレーンとして構成されている。
【００３４】
排出配管１８の下流側には、液化ガス貯留タンク１１の外部位置に、弁１８ａが設けられ、弁１８ａの下流側には、弁１８ｂが設けられている。弁１８ａと弁１８ｂとの間には、弁１８ｂと枝分かれするように、液化ガスを外部に供給する取出口１８ｃが設けられている。
弁１８ｂの下流には、滅菌装置１６から高温飽和水蒸気が供給された際に、弁１８ｂから排出された蒸気を冷却する図示しない冷却装置が設けられることもできる。
【００３５】
取出口１８ｃは、開閉可能に構成されており、この取出口１８ｃから外部に取り出した液化ガスをそのまま貯溜すること、あるいは、医療、製薬、食品、研究分野などで、取出口１８ｃを、無菌状態の液化ガスを使用する領域等に、配管を介して直接取出口１８ｃを接続し、そのまま他の装置等に供給することが可能である。
【００３６】
液化ガス貯留タンク１１には、図示していないが、内部圧力を測定する圧力検出装置、内部温度を測定する温度検出装置、加熱滅菌時に内部を加熱するヒータ、内部を加圧するダイヤフラム、所定値以上に圧力が上昇した場合に動作する安全弁等が設けられている。
これら装置（圧力検出装置、温度検出装置、ヒータ、ダイヤフラム、安全弁）のうち、液化ガス貯留タンク１１の外部へと連絡する必要がある装置は、いずれも液化ガス貯留タンク１１の上端となる蓋部１１ａを貫通するように配置される。
【００３７】
なお、温度検出装置は、液化ガス貯留タンク１１の内部において複数設けることができる。温度検出装置が設置される位置としては、例えば、液化ガス貯留タンク１１の側壁の上側位置、冷却部１３ａの温度を検出可能な冷却部１３ａの付近の位置、液化ガス貯留タンク１１の下端となる底部１１ｂの近傍の位置、および、液化ガス貯留タンク１１の内部を加熱するヒータの近傍の位置等が挙げられる。
【００３８】
本実施形態の無菌液化ガス製造装置１０において、滅菌領域Ｓである供給配管１４、滅菌フィルタ１５、液化ガス貯留タンク１１、冷却部１３ａ、排出配管１８、弁１８ｂの近くに位置する排出配管１８の下端、および、取出口１８ｃは、これらの表面または内面がサニタリ仕様を満たすように構成されている。
【００３９】
サニタリ仕様を満たす材料としては、例えば、ステンレス鋼材、特に、ＳＵＳ３１６、ＳＵＳ３１６Ｌが挙げられる。さらに、そのステンレス鋼材の表面を＃４００番の研磨剤を用いた鏡面研磨処理、および、電解研磨処理を行うことで、ＪＩＳ規格に規定されるステンレスサニタリ配管などに準じた仕様を実現することができる。あるいは、上述のステンレス鋼材の表面又は上記処理が施された表面がＡｕ、Ｐｔ等の金属で覆われた構成を用いることも可能である。
【００４０】
また、上記滅菌領域Ｓを構成する部材や配管の継手、或いは、継手に設けられるＯリングなどは、サニタリ規格を満たすシリコーン製、フッ素樹脂製、フッ化ビニリデン系（ＦＫＭ）などのフッ素ゴム等を使用することができる。
【００４１】
以下、本実施形態の無菌液化ガス製造装置における無菌液化ガス製造方法について説明する。
図２は、本実施形態の無菌液化ガス製造装置における液化ガス製造工程を示すフローチャートである。
【００４２】
本実施形態の無菌液化ガス製造装置１０における無菌液化ガス製造方法は、図２に示すように、滅菌工程Ｓ１と、乾燥工程Ｓ２と、水分排出工程Ｓ３と、原料ガス供給工程Ｓ４と、液化冷却工程Ｓ５と、を有する。
【００４３】
本実施形態の無菌液化ガス製造装置１０における無菌液化ガス製造方法においては、まず、図２に示す滅菌工程Ｓ１として、滅菌領域Ｓを滅菌する。
滅菌工程Ｓ１においては、まず、弁１４ａと弁１４ｃとを閉状態として、弁１４ｂを開状態とし、冷却装置１３を停止状態とし、原料ガス供給装置１２を停止状態とし、弁１８ａを開状態とし、弁１８ｂを開状態とし、取出口１８ｃを開状態とする。
【００４４】
この状態で、滅菌装置１６を動作させ、飽和蒸気発生器で発生させた１２１℃以上に設定される高温飽和水蒸気を、弁１４ｂを介して供給配管１４に供給する。高温飽和水蒸気は、弁１４ｂを介して、滅菌領域Ｓである供給配管１４、滅菌フィルタ１５、液化ガス貯留タンク１１、排出配管１８を経て、弁１８ｂ側に位置する排出配管１８の下端および、取出口１８ｃから排出される。これにより、高温飽和水蒸気が滅菌領域Ｓを構成する部材の内表面に接触し、高温飽和水蒸気が接触した滅菌領域Ｓを構成する部材の内表面において滅菌処理をおこない、滅菌領域Ｓの内表面から菌を死滅させる。
このとき、図示しないヒータにより液化ガス貯留タンク１１の内部を加熱することや、図示しないダイヤフラムにより液化ガス貯留タンク１１の内部を加圧することも可能である。
【００４５】
滅菌工程Ｓ１における処理条件としては、完全な無菌状態を得るために、例えば、医薬品向けの凍結乾燥装置において必要な滅菌の条件を採用することができる。このような処理条件においては、例えば、１２１℃以上とされるスチームに２０分以上、例えば、３０分程度、滅菌領域Ｓを曝して、この温度状態を維持することにより、菌を死滅させる。高温飽和水蒸気による滅菌工程Ｓ１における圧力は、２１０ｋＰａ程度、２２０ｋｐａ〜２４０ｋｐａ程度とすることができる。
【００４６】
このとき、高温飽和水蒸気が接触した滅菌領域Ｓを構成する部材の内表面において、高温飽和水蒸気は高温の水分（湯）となり、加熱滅菌で生じた水分（湯）が外部に排出される。また、高温飽和水蒸気から発生した高温の水分（湯）は、供給配管１４、滅菌フィルタ１５、液化ガス貯留タンク１１において、液化ガス貯留タンク１１底部１１ｂの貯溜凹部１９に貯留される。この場合、貯溜凹部１９となる底部１１ｂに排出配管１８の上端が接するように設けられていることで、サイフォンの原理により排出配管１８において弁１８ｂの近くに位置する排出配管１８の下端および取出口１８ｃから、高温の水分（湯）は、速やかに排出される。
【００４７】
滅菌領域Ｓが所定時間蒸気の高温状態に維持されたことが確認されたら、滅菌装置１６の動作を停止して、滅菌工程Ｓ１を終了する。
【００４８】
次いで、図２に示す乾燥工程Ｓ２として、弁１４ｂを閉状態として、弁１４ｃを開状態とする。
【００４９】
この状態で、乾燥装置１７を動作させ、１００℃以上の高温不活性ガスを供給配管１４に供給する。例えば、窒素ガスとされる高温不活性ガスは、弁１４ｃを介して、滅菌領域Ｓである供給配管１４、滅菌フィルタ１５、液化ガス貯留タンク１１、排出配管１８を経て、弁１８ｂの近くに位置する排出配管１８の下端および、取出口１８ｃから外部に排出される。これにより、滅菌工程Ｓ１における加熱滅菌で生じた水分（湯）を除去して滅菌領域Ｓ内を乾燥させる。
このとき、図示しないヒータにより液化ガス貯留タンク１１の内部を加熱することや、図示しないダイヤフラムにより液化ガス貯留タンク１１の内部を加圧することも可能である。
【００５０】
乾燥工程Ｓ２においては、液化ガス貯留タンク１１等の滅菌領域Ｓ内を乾燥することが必要であるので、後述する液化冷却工程Ｓ５における原料ガス供給装置１２からの原料ガス供給に比べて流量の多い高温不活性ガスを乾燥装置１７から滅菌領域Ｓ内に供給する。
乾燥装置１７から供給された高温不活性ガスは、無菌状態となっている滅菌フィルタ１５を通過することによって、菌を死滅させた無菌状態で滅菌領域Ｓ内に供給される。
【００５１】
次いで、図２に示す水分排出工程Ｓ３として、乾燥工程Ｓ２に続けて、乾燥装置１７から供給された高温不活性ガスによって、液化ガス貯留タンク１１の内部を加圧する。
このとき、図示しないヒータにより液化ガス貯留タンク１１の内部を加熱することや、図示しないダイヤフラムにより液化ガス貯留タンク１１の内部を加圧することも可能である。
【００５２】
貯溜凹部１９に貯留された加熱滅菌で生じた水分（湯）が外部に排出された後は、乾燥装置１７から供給された高温不活性ガスによって、滅菌領域Ｓの内表面に付着した水分は、蒸発して、排出配管１８から排出される。液化ガス貯留タンク１１の内部だけでなく滅菌領域Ｓの内表面に付着した水分が完全に外部に排出されたことを確認して、乾燥装置１７の動作を停止させ、水分排出工程Ｓ３を終了する。
なお、本実施形態では、乾燥工程Ｓ２と水分排出工程Ｓ３とは、便宜上、別々の工程として述べたが、同時に行う工程とすることも可能である。
【００５３】
次いで、図２に示す原料ガス供給工程Ｓ４として、弁１４ｃ、弁１８ｂを閉状態として、弁１４ａを開状態とし、取出口１８ｃを開状態とする。この状態で、原料ガス供給装置１２を動作させて、原料ガスである窒素ガスを液化ガス貯留タンク１１に供給する。
このとき、原料ガス供給装置１２から供給された原料ガスは、滅菌フィルタ１５を介して供給配管１４を流れて液化ガス貯留タンク１１に流入するが、原料ガスが流入する範囲は、滅菌フィルタ１５よりも下流側に位置する滅菌領域Ｓである。滅菌装置１６による滅菌処理が全て完了しているので、滅菌フィルタ１５よりも下流の滅菌領域Ｓとなる部分は、無菌状態を維持することができる。
【００５４】
次いで、図２に示す液化冷却工程Ｓ５として、冷却装置１３を動作させ、コンプレッサ１３ｂは、ヘリウムガスをコンプレッサ１３ｂと冷却部１３ａとの間で環流させて、冷却部１３ａから熱を奪い、この熱は水冷部１３ｃによって外部に廃熱される。これにより、蓋部１１ａを貫通して液化ガス貯留タンク１１の内部に突出した冷却部１３ａが冷却されることで、液化ガス貯留タンク１１の内部を冷却して原料ガスを液化する。
液化された原料ガスは液化ガス貯留タンク１１の内部に貯留される。
液化ガス貯留タンク１１に貯留された無菌液化ガスは、必要に応じて、液化ガス貯留タンク１１内を加圧して取出口１８ｃから外部に供給することが可能となる。
【００５５】
ここで、取出口１８ｃを開状態に維持したまま、原料ガスを液化ガス貯留タンク１１に供給すると、乾燥工程Ｓ２で液化ガス貯留タンク１１内は大気圧よりも高く（１気圧＋α）なっており、かつ、温度も高い状態となっている。これは、冷却装置１３を動作させてもすぐに冷えず、液化ガス貯留タンク１１内の圧力は原料ガス供給装置１２の供給圧まで上がるためである。
同時に、ガスの流れを一方向にして菌が入り込まないようにするため、液化ガス貯留タンク１１内は大気圧＋αになるよう原料ガス供給装置１２による原料ガス供給を調整する。
【００５６】
また、原料ガスが供給されて液化作業している時は、取出口１８ｃは開状態を維持する。
さらに、原料ガスが供給されず液体が液化ガス貯留タンク１１内に保管されている場合は、入熱による原料ガスの蒸発で液化ガス貯留タンク１１内の圧力が上がる。このため、図示しない圧力検出装置と弁１８ｂとを連動させることによって、液化ガス貯留タンク１１の内圧を設定値まで下げるように制御されている。また、安全弁は通常は作動させない。
【００５７】
本実施形態の無菌液化ガス製造装置１０における無菌液化ガス製造においては、滅菌工程Ｓ１、乾燥工程Ｓ２、および、水分排出工程Ｓ３によって、滅菌領域Ｓが無菌状態とされている。この無菌状態を維持して原料ガスの液化処理を行うことができるため、無菌液化ガスを製造することが可能となる。さらに、このように、無菌状態を維持しているため、製造した無菌液化ガスにおける無菌状態を保証することが可能となる。
【００５８】
本実施形態においては、滅菌フィルタ１５を滅菌工程Ｓ１、乾燥工程Ｓ２、および、水分排出工程Ｓ３によって無菌状態としている。この状態で、供給配管１４を通じて原料ガス供給装置１２から液化ガス貯留タンク１１に向けて原料ガスを供給すると、原料ガスは滅菌フィルタ１５を通過する。滅菌フィルタ１５によって無菌状態となった原料ガスを液化ガス貯留タンク１１の内部に供給して、液化処理を行うことが可能となる。
【００５９】
本実施形態においては、貯溜凹部１９を設けたため、液化ガス貯留タンク１１底部１１ｂに底面に形成された傾斜面（角度）に沿って、水を集め、たまった水（湯）を排出することが可能となる。
【００６０】
本実施形態においては、排出配管１８がサイフォン状に形成されていることにより、貯溜凹部１９に溜まった湯を完全に外部へ排出することができるため、液化ガス貯留タンク１１の内部および排出配管１８を無菌状態とすることが可能となる。
また、排出配管１８が貯溜凹部１９に接するように配置されていることによって、製造された液化ガス中に異物があった場合でも、異物が貯溜凹部１９に溜まる形態である場合には、この異物を外部に排出することができる。
【００６１】
本発明の好ましい実施形態を説明し、上記で説明してきたが、これらは本発明の例示的なものであり、限定するものとして考慮されるべきではないことを理解すべきである。追加、省略、置換、およびその他の変更は、本発明の範囲から逸脱することなく行うことができる。従って、本発明は、前述の説明によって限定されていると見なされるべきではなく、請求の範囲によって制限されている。
【産業上の利用可能性】
【００６２】
本発明の活用例として、バイオ医薬、再生医療の分野や、凍結乾燥装置において製品を急冷する要求がある場合に、無菌医薬品等に直接使用可能あるいは無菌室で直接使用可能な無菌の液体窒素を提供することを挙げることができる。
【符号の説明】
【００６３】
１０…無菌液化ガス製造装置
１１…液化ガス貯留タンク
１２…原料ガス供給装置
１３…冷却装置（機械式冷凍機システム）
１３ａ…冷却部
１３ｂ…コンプレッサ
１３ｃ…水冷部
１４…供給配管
１４ａ，１４ｂ，１４ｃ…弁
１５…滅菌フィルタ
１６…滅菌装置
１７…乾燥装置
１８…排出配管
１８ａ，１８ｂ…弁
１８ｃ…取出口
１９…貯溜凹部
Ｓ…滅菌領域
【図１】
2020099811.tif 000003
【図２】
2020099811.tif 000004
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
原料ガスから減菌された無菌液化ガスを製造する方法であって、
液化ガス貯留タンクと、前記液化ガス貯留タンクに原料ガスを供給する原料ガス供給装置と、前記液化ガス貯留タンク内を冷却して前記原料ガスを液化する冷却装置と、前記原料ガス供給装置と前記液化ガス貯留タンクとを接続する供給配管と、前記供給配管に設けられる滅菌フィルタと、前記滅菌フィルタよりも下流部分に位置する滅菌領域を１２１℃以上に設定される高温飽和水蒸気により加熱滅菌する滅菌装置と、前記加熱滅菌により生じた水分を除去して前記滅菌領域を乾燥させる乾燥装置と、前記液化ガス貯留タンク内を加圧して前記液化ガス貯留タンク内から前記加熱滅菌により生じた水分を排出するとともに前記液化ガスを外部に供給する排出配管と、を有し、
前記液化ガス貯留タンクの底部には、前記加熱滅菌により生じた水分が貯溜可能な貯溜凹部が設けられ、前記排出配管の先端が前記貯溜凹部の付近に位置しており、前記滅菌装置と前記乾燥装置とが、前記滅菌フィルタよりも上流側に位置する前記供給配管に接続される無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記液化冷却工程において、冷凍機を含む前記冷却装置によって原料ガスを液化する、
無菌液化ガスの製造方法。
【請求項２】
前記乾燥工程において、前記滅菌領域に１００℃以上の高温不活性ガスを供給して前記滅菌領域の乾燥を行う請求項１に記載の無菌液化ガスの製造方法。
【請求項３】
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記液化冷却工程において、冷凍機を含む前記冷却装置によって原料ガスを液化するとともに、
前記無菌液化ガス製造装置が、前記排出配管の下流側で前記液化ガス貯留タンクの外部位置に設けた弁と、前記液化ガス貯留タンクの内圧を測定する圧力検出装置と、を備え、
前記弁と前記圧力検出装置とを連動させて、前記液化ガス貯留タンクの内圧調整を行う請求項１または２に記載の無菌液化ガスの製造方法。
【手続補正２】
【補正対象書類名】明細書
【補正対象項目名】０００９
【補正方法】変更
【補正の内容】
【０００９】
上記課題を解決するため、本発明の無菌液化ガスの製造方法は、原料ガスから減菌された無菌液化ガスを製造する方法であって、
液化ガス貯留タンクと、前記液化ガス貯留タンクに原料ガスを供給する原料ガス供給装置と、前記液化ガス貯留タンク内を冷却して前記原料ガスを液化する冷却装置と、前記原料ガス供給装置と前記液化ガス貯留タンクとを接続する供給配管と、前記供給配管に設けられる滅菌フィルタと、前記滅菌フィルタよりも下流部分に位置する滅菌領域を１２１℃以上に設定される高温飽和水蒸気により加熱滅菌する滅菌装置と、前記加熱滅菌により生じた水分を除去して前記滅菌領域を乾燥させる乾燥装置と、前記液化ガス貯留タンク内を加圧して前記液化ガス貯留タンク内から前記加熱滅菌により生じた水分を排出するとともに前記液化ガスを外部に供給する排出配管と、を有し、
前記液化ガス貯留タンクの底部には、前記加熱滅菌により生じた水分が貯溜可能な貯溜凹部が設けられ、前記排出配管の先端が前記貯溜凹部の付近に位置しており、前記滅菌装置と前記乾燥装置とが、前記滅菌フィルタよりも上流側に位置する前記供給配管に接続される無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記液化冷却工程において、冷凍機を含む前記冷却装置によって原料ガスを液化する。
本発明は、前記乾燥工程において、前記滅菌領域に１００℃以上の高温不活性ガスを供給して前記滅菌領域の乾燥を行うことができる。
本発明は、前記液化冷却工程において、冷凍機を含む前記冷却装置によって原料ガスを液化することができる。
本発明は、前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記液化冷却工程において、冷凍機を含む前記冷却装置によって原料ガスを液化するとともに、
前記無菌液化ガス製造装置が、前記排出配管の下流側で前記液化ガス貯留タンクの外部位置に設けた弁と、前記液化ガス貯留タンクの内圧を測定する圧力検出装置と、を備え、
前記弁と前記圧力検出装置とを連動させて、前記液化ガス貯留タンクの内圧調整を行うことができる。
本発明の一態様に係る無菌液化ガス製造装置は、液化ガス貯留タンクと、前記液化ガス貯留タンクに原料ガスを供給する原料ガス供給装置と、前記液化ガス貯留タンク内を冷却して前記原料ガスを液化する冷却装置と、前記原料ガス供給装置と前記液化ガス貯留タンクとを接続する供給配管と、前記供給配管に設けられる滅菌フィルタと、前記滅菌フィルタよりも下流部分に位置する滅菌領域を１２１℃以上に設定される高温飽和水蒸気により加熱滅菌する滅菌装置と、前記加熱滅菌により生じた水分を除去して前記滅菌領域を乾燥させる乾燥装置と、
前記液化ガス貯留タンク内を加圧して前記液化ガス貯留タンク内から前記加熱滅菌により生じた水分を排出するとともに前記液化ガスを外部に供給する排出配管と、
を有し、
前記供給配管と前記排出配管と前記冷却装置とが、前記液化ガス貯留タンクの上部を貫通し、
前記液化ガス貯留タンクの底部には、前記加熱滅菌により生じた水分が貯溜可能な貯溜凹部が設けられ、
前記排出配管の先端が前記貯溜凹部の付近に位置しており、
前記滅菌装置と前記乾燥装置とが、前記滅菌フィルタよりも上流側に位置する前記供給配管に接続される。
本発明の一態様に係る無菌液化ガス製造装置においては、前記乾燥装置が、前記滅菌領域に１００℃以上の高温不活性ガスを供給して前記滅菌領域の乾燥を行ってもよい。
本発明の一態様に係る無菌液化ガス製造装置においては、前記滅菌装置と前記乾燥装置とが、前記滅菌フィルタよりも上流側に位置する前記供給配管に接続されてもよい。
本発明の一態様に係る無菌液化ガス製造装置においては、前記冷却装置は、冷凍機を含んでもよい。
本発明の一態様に係る無菌液化ガス製造装置においては、前記排出配管の下流側で前記液化ガス貯留タンクの外部位置に設けた弁と、前記液化ガス貯留タンクの内圧を測定する圧力検出装置と、を備えてもよい。
本発明の一態様に係る無菌液化ガスの製造方法においては、原料ガスから減菌された無菌液化ガスを製造する方法であって、
上記のいずれか一項に記載の無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備えている。
本発明の一態様に係る無菌液化ガスの製造方法においては、原料ガスから減菌された無菌液化ガスを製造する方法であって、
上記の無菌液化ガス製造装置を用い、
前記減菌領域を前記滅菌装置からの高温飽和水蒸気により加熱減菌する滅菌工程と、
前記排出配管を介して前記加熱減菌により生じた水分を除去して前記減菌領域を乾燥させる乾燥工程および水分排出工程と、
前記原料ガス供給装置から前記滅菌フィルタを介して原料ガスを前記液化ガス貯留タンクに供給する原料ガス供給工程と、
前記冷却装置により前記液化ガス貯留タンクの内部を冷却して原料ガスを液化する液化冷却工程と、
を備え、
前記弁と前記圧力検出装置とを連動させて、前記液化ガス貯留タンクの内圧調整を行ってもよい。